(57)【要約】【課題】  ユーザが再度間違った電話番号先へ発呼することを防止する。【解決手段】発呼時にテンキーから入力された電話番号をＲＡＭに格納し、通話終了後、テンキーから電話番号を入力するとＲＡＭに格納されている電話番号即ち、以前発呼した相手先をディスプレイに表示すると共に、現在テンキーより入力された電話番号もディスプレイに表示する。【選択図】      図６
2005311606.tif 000002
【特許請求の範囲】
【請求項１】
テンキーにより電話番号が入力されると、前記電話番号と過去にテンキーにより入力された不所望なあて先の電話番号の両方を同時に表示することを特徴とする通信装置。
【請求項２】
テンキーにより電話番号が入力されると、前記電話番号と過去にテンキーにより入力された不所望なあて先の電話番号とを比較し、電話番号が一致すればその旨を報知することを特徴とする通信装置。
【請求項３】
テンキーにより電話番号が入力されると、前記電話番号と過去にテンキーにより入力された不所望なあて先の電話番号とを比較し、電話番号が一致すれば一致した電話番号先への発呼を禁止することを特徴とする通信装置。
【請求項４】
テンキーにより電話番号が入力されると、前記電話番号と、過去に発呼した電話番号の中で最も新しく不所望なあて先の電話番号との両方を同時に表示することを特徴とする通信装置。
【請求項５】
テンキーにより電話番号が入力されると、前記電話番号と、過去に発呼した電話番号の中で最も新しく不所望なあて先の電話番号とを比較し、電話番号が一致すればその旨を報知することを特徴とする通信装置。
【請求項６】
テンキーにより電話番号が入力されると、前記電話番号と、過去に発呼した電話番号の中で最も新しく不所望なあて先の電話番号とを比較し、電話番号が一致すれば一致した電話番号先への発呼を禁止することを特徴とする通信装置。
【請求項７】
テンキーと、該テンキーから入力された電話番号を表示する表示手段と、
電話番号を記憶する記憶手段と、前記テンキーにより入力された電話番号が不所望な相手先の電話番号であるか否かを判断する判断手段と、
前記テンキーにより第１の電話番号が入力され、該入力された第１の電話番号が不所望な相手先の電話番号と前記判断手段が判断すると、前記第１の電話番号を前記記憶手段に記憶し、前記テンキーにより第２の電話番号の入力があると判定すると、前記記憶手段に記憶された第１の電話番号と前記第２の電話番号とを前記表示手段に表示するよう制御する制御手段と、を有することを特徴とする通信装置。
【請求項８】
請求項７に記載の通信装置であり、
更に、前記第１の電話番号と前記第２の電話番号とが一致するか否かを判定する一致判定手段と、報知手段と、を有し、
前記制御手段は、前記表示手段に前記第１の電話番号と前記第２の電話番号とを表示する際に、前記一致判定手段が、前記第１の電話番号と前記第２の電話番号とが一致すると判定すると、電話番号が一致することを報知するように前記報知手段を制御することを特徴とする通信装置。
【請求項９】
発呼指示キーと、テンキーと、該テンキーから入力された電話番号を表示する表示手段と、電話番号を記憶する記憶手段と、前記テンキーにより入力された電話番号先との通話時間が所定時間以上であるか否かを判断する判断手段と、相手側への発呼を行なう発呼手段と、
前記テンキーにより第１の電話番号の入力があり、前記発呼手段による前記第１の電話番号への発呼後、前記入力された第１の電話番号先との通話時間が所定時間未満であると前記判断手段が判断すると、前記第１の電話番号を前記記憶手段に記憶し、通話終了後に前記テンキーにより第２の電話番号の入力があると判定すると、前記記憶手段に記憶されている第１の電話番号と前記第２の電話番号とを前記表示手段に表示するよう制御する制御手段と、を有することを特徴とする通信装置。
【請求項１０】
請求項９に記載の通信装置であり、
更に、前記記憶手段に記憶されている第１の電話番号と前記第２の電話番号とが一致するか否かを判定する一致判定手段と、報知手段と、を有し、
前記制御手段は、前記表示手段に前記第１の電話番号と前記第２の電話番号とを表示する際に、前記一致判定手段が、前記第１の電話番号と前記第２の電話番号とが一致すると判定すると、電話番号が一致することを報知するように前記報知手段を制御することを特徴とする通信装置。
【請求項１１】
請求項１０に記載の通信装置であり、
前記制御手段は、前記一致判定手段が、前記第１の電話番号と前記第２の電話番号とが一致すると判定すると、前記発呼指示キーによる発呼指示を無効にするように制御することを特徴とする通信装置。
【発明の詳細な説明】
【技術分野】
【０００１】
本発明は、電話装置やファクシミリ装置等の通信装置に関するものである。
【背景技術】
【０００２】
近年の電話装置やファクシミリ装置等の通信装置の多くには、電話番号や氏名を表示する液晶表示装置が装備されている。
【０００３】
この表示装置には、ユーザがテンキーにより入力した電話番号や、リダイヤルメモリに記憶されている電話番号等を表示することができ、ユーザは発呼前にこの表示装置に表示されている電話番号を見ることにより、所望の相手先か否かを確認することができる。
【０００４】
又、特許文献１には、リダイヤルメモリに格納されている電話番号を表示する際に、電話番号に対応する氏名を表示させ、相手先がだれであるかをより分かり易くする技術が記載されている。
【特許文献１】特開平８−３２１８６７号公報
【発明の開示】
【発明が解決しようとする課題】
【０００５】
しかしながら、現在の通信装置及び特許文献１に記載の技術では、発呼時には現在選択された或いはテンキーにより入力された電話番号が表示されるだけで、過去に発呼した電話番号は同時に表示されない。
【０００６】
この為、ユーザがテンキーにより間違った電話番号を入力し発呼し、次に発呼をする場合には、以前入力した電話番号と現在入力した電話番号が違うか否かを確認することができない。
【課題を解決するための手段】
【０００７】
本発明はこのような課題を解決する為のものであり、
請求項１記載の通信装置は、テンキーにより電話番号が入力されると、前記電話番号と過去にテンキーにより入力された不所望なあて先の電話番号の両方を同時に表示することを特徴とする。
請求項２記載の通信装置は、テンキーにより電話番号が入力されると、前記電話番号と過去にテンキーにより入力された不所望なあて先の電話番号とを比較し、電話番号が一致すればその旨を報知することを特徴とする。
請求項３記載の通信装置は、テンキーにより電話番号が入力されると、前記電話番号と過去にテンキーにより入力された不所望なあて先の電話番号とを比較し、電話番号が一致すれば一致した電話番号先への発呼を禁止することを特徴とする。
請求項４記載の通信装置は、テンキーにより電話番号が入力されると、前記電話番号と、過去に発呼した電話番号の中で最も新しく不所望なあて先の電話番号との両方を同時に表示することを特徴とする。
請求項５記載の通信装置は、テンキーにより電話番号が入力されると、前記電話番号と、過去に発呼した電話番号の中で最も新しく不所望なあて先の電話番号とを比較し、電話番号が一致すればその旨を報知することを特徴とする。
請求項６記載の通信装置は、テンキーにより電話番号が入力されると、前記電話番号と、過去に発呼した電話番号の中で最も新しく不所望なあて先の電話番号とを比較し、電話番号が一致すれば一致した電話番号先への発呼を禁止することを特徴とする。
請求項７記載の通信装置は、テンキーと、該テンキーから入力された電話番号を表示する表示手段と、電話番号を記憶する記憶手段と、前記テンキーにより入力された電話番号が不所望な相手先の電話番号であるか否かを判断する判断手段と、前記テンキーにより第１の電話番号が入力され、該入力された第１の電話番号が不所望な相手先の電話番号と前記判断手段が判断すると、前記第１の電話番号を前記記憶手段に記憶し、前記テンキーにより第２の電話番号の入力があると判定すると、前記記憶手段に記憶された第１の電話番号と前記第２の電話番号とを前記表示手段に表示するよう制御する制御手段と、を有することを特徴とする。
請求項８記載の通信装置は、請求項７に記載の通信装置であり、更に、前記第１の電話番号と前記第２の電話番号とが一致するか否かを判定する一致判定手段と、報知手段と、を有し、前記制御手段は、前記表示手段に前記第１の電話番号と前記第２の電話番号とを表示する際に、前記一致判定手段が、前記第１の電話番号と前記第２の電話番号とが一致すると判定すると、電話番号が一致することを報知するように前記報知手段を制御することを特徴とする。
請求項９記載の通信装置は、発呼指示キーと、テンキーと、該テンキーから入力された電話番号を表示する表示手段と、電話番号を記憶する記憶手段と、前記テンキーにより入力された電話番号先との通話時間が所定時間以上であるか否かを判断する判断手段と、相手側への発呼を行なう発呼手段と、前記テンキーにより第１の電話番号の入力があり、前記発呼手段による前記第１の電話番号への発呼後、前記入力された第１の電話番号先との通話時間が所定時間未満であると前記判断手段が判断すると、前記第１の電話番号を前記記憶手段に記憶し、通話終了後に前記テンキーにより第２の電話番号の入力があると判定すると、前記記憶手段に記憶されている第１の電話番号と前記第２の電話番号とを前記表示手段に表示するよう制御する制御手段と、を有することを特徴とする。
請求項１０記載の通信装置は、請求項９に記載の通信装置であり、更に、前記記憶手段に記憶されている第１の電話番号と前記第２の電話番号とが一致するか否かを判定する一致判定手段と、報知手段と、を有し、前記制御手段は、前記表示手段に前記第１の電話番号と前記第２の電話番号とを表示する際に、前記一致判定手段が、前記第１の電話番号と前記第２の電話番号とが一致すると判定すると、電話番号が一致することを報知するように前記報知手段を制御することを特徴とする。
請求項１１記載の通信装置は、請求項１０に記載の通信装置であり、前記制御手段は、前記一致判定手段が、前記第１の電話番号と前記第２の電話番号とが一致すると判定すると、前記発呼指示キーによる発呼指示を無効にするように制御することを特徴とする。
【発明の効果】
【０００８】
本発明によれば、過去に入力発呼した電話番号と現在入力した電話番号とを同時に表示できる為、ユーザは不所望（例えば、間違い電話番号や連絡網の既に連絡済の連絡先）の電話番号先へ発呼した後にユーザが再度間違えて発呼しないように電話番号の確認を行なうことができる。
【０００９】
又、過去に入力した電話番号と現在入力した電話番号とが一致する場合には、一致することをユーザに報知する為、ユーザが一々表示部に表示されている２つの電話番号を比較しなくとも、ユーザが再度間違った電話番号を入力したことを確認することができる。
【００１０】
更に、過去に入力した電話番号と現在入力した電話番号とが一致する場合には、現在入力した電話番号先へ発呼することを禁止する為、ユーザが再度間違った電話番号先へ発呼することを確実に回避することができる。
【００１１】
又、過去に発呼した電話番号のうち最も新しい電話番号と、テンキーで入力された電話番号とを同時に表示する為、ユーザは間違った電話番号先へ発呼した後にユーザが再度間違った電話番号先へ発呼しないように電話番号の確認を行なうことができる。
【００１２】
更に、過去に発呼した電話番号のうち最も新しい電話番号と、テンキーで入力された電話番号とを比較し、一致した場合にはユーザに報知する為、ユーザが一々表示部に表示されている２つの電話番号を比較しなくとも、ユーザが再度間違った電話番号を入力したことを確認することができる。
【００１３】
又、過去に発呼した電話番号のうち最も新しい電話番号と、テンキーで入力された電話番号とを比較し、一致した場合には発呼を禁止する為、ユーザが再度間違った電話番号先へ発呼することを確実に回避することができる。
【発明を実施するための最良の形態】
【００１４】
次に、本発明の一実施形態に係る携帯電話装置について、図面を参照して説明する。
【００１５】
図１及び図２は、本発明を適用してなる実施例装置（折畳式携帯電話装置）の斜視図である。
【００１６】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１７】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよく、又、側面キー５８は複数あっても良い。
【００１８】
図２は、図１に示す携帯電話装置１０の背面から見た斜視図であり、第２筐体１２０にアンテナ２と着信ランプ５７が搭載されている。
【００１９】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００２０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ（Ｒｅａｄ  Ｏｎｌｙ  Ｍｅｍｏｒｙ）３８と接続されており、ＲＯＭ３８に格納されているシステムプログラムに基づき各部を制御する。又、制御回路３６は所定時間（例えば、３０秒）の計時を行う。
【００２６】
また、制御回路３６は、ＲＡＭ（Ｒａｎｄｕｍ  Ａｃｃｅｓｓ  Ｍｅｍｏｒｙ）４０と接続されている。このＲＡＭ４０には、発呼した電話番号が格納される。
【００２７】
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００２８】
また、制御回路３６には、入力部４４が接続されている。この入力部４４は、電話番号等の入力を行うテンキー４８と、通話の開始を操作する通話キー５０と、通話の終了を操作する切キー５２と、電子メール機能やインターネット機能などの各種機能の設定を行う機能キー５４と、を有している。
【００２９】
バイブレータ５６は、振動により着信を報知する為のバイブレータである。
【００３０】
着信ランプ５７は、着信時に、着信を報知する為に点灯或いは点滅する。
【００３１】
更に、開閉検出部５５を有しており、前記開閉検出部５５は、筐体の開閉を検出する。
【００３２】
次に、本実施形態に係る携帯電話装置１０の作用について、図４に示すフローチャートに基づいて説明する。
【００３３】
Ｓ１ステップでは、制御回路３６は、入力部４４のテンキー４８から電話番号の入力があると判定すると、Ｓ２ステップへ処理を進める。
【００３４】
Ｓ２ステップでは、制御回路３６は、電話番号の表示処理を行なう。具体的には、図５に示すフロー図の処理が行なわれる。
【００３５】
図５のＳ２１ステップにおいて、制御回路３６は、ＲＡＭ４０に、以前発呼した電話番号のデータが格納されていると判定するとＳ２３ステップへ処理を進め、そうでなければＳ２２ステップへ処理を進める。
Ｓ２２ステップでは、制御回路３６は、図４のＳ１ステップで入力された電話番号をディスプレイ４２に表示する。具体的には、例えば図６（ｂ）に示すようにＳ１ステップで入力された１つの電話番号（例えば、０９０１２３４５６７８）が表示される。続いて、制御回路３６は、図４のＳ３ステップへ処理を進める。
【００３６】
Ｓ２３ステップでは、Ｓ１ステップで入力された電話番号とＲＡＭ４０に記憶されている電話番号とが一致すると判定すると、Ｓ２４ステップへ処理を進め、そうでなければＳ２５ステップへ処理を進める。
【００３７】
Ｓ２４ステップでは、制御回路３６は、ディスプレイ４２に同じ電話番号が入力されたことを示すメッセージ、例えば、「同じ電話番号が入力されました」を表示させると共に、図４のＳ１ステップで入力された電話番号と、ＲＡＭ４０に格納されている電話番号との両方を同時にディスプレイ４２に表示し、図４のＳ３ステップへ処理を進める。
【００３８】
Ｓ２５ステップでは、制御回路３６は、図４のＳ１ステップで入力された電話番号と、ＲＡＭ４０に格納されている電話番号との両方を同時にディスプレイ４２に表示する。具体的には、例えば図６（ａ）に示すように２つの電話番号（例えば、Ｓ１ステップで入力された電話番号である０９０１２３４５６７８と、ＲＡＭ４０に格納されている電話番号である０９０１２３４５６７７）が表示される。続いて、制御回路３６は、図４のＳ３ステップへ処理を進める。
【００３９】
図４のフロー図に戻り、Ｓ３ステップで制御回路３６は、通話キー５０の操作があると判定するとＳ６ステップへ処理を進め、そうでなければＳ４ステップへ処理を進める。
【００４０】
Ｓ４ステップでは、制御回路３６は、切キー５２が操作されたと判定するとディスプレイ４２の表示をクリアし、Ｓ１ステップへ処理を戻す。一方、切キー５２が操作されなければ、Ｓ２ステップへ処理を戻す。
【００４１】
Ｓ５ステップでは、制御回路３６は、前記Ｓ２３ステップと同様に同一の電話番号が入力されたと判定すると、Ｓ３ステップへ処理を戻し、そうでなければ、Ｓ６ステップへ処理を進める。
【００４２】
ここで、同一の電話番号が入力されるとＳ３ステップへ戻るのは、間違った電話番号を続けて入力した場合には、発呼を禁止する為である。
【００４３】
Ｓ６ステップでは、制御回路３６は、電話通信部１２とベースバンド部１４を制御することにより、Ｓ１ステップで入力された電話番号先へ発呼を行ない相手側が応答したと判定するとＳ７ステップへ処理を進め、そうでなければＳ８ステップへ処理を進める。
【００４４】
Ｓ７ステップでは、制御回路３６は、前記Ｓ１ステップで入力された電話番号をＲＡＭ４０に記憶する。この時、既にＲＡＭ４０に以前発呼した電話番号が記憶されている場合には、以前発呼した電話番号を消去すると共に新たにＳ１ステップで入力された電話番号をＲＡＭに記憶する。即ち、ＲＡＭ４０には、常に、過去に発呼した電話番号の内最も新しい電話番号が格納される。その後、制御回路３６は、Ｓ１０ステップへ処理を進める。
【００４５】
尚、本実施例装置では、発呼時に相手側が応答した後にＲＡＭ４０に電話番号を記憶している。本実施例装置において、仮に、相手側が応答する前にＲＡＭ４０に電話番号を記憶するような構成とすれば、例えば、ユーザが所望の相手先の電話番号へ発呼をしているのに、相手先が応答せず、後ほど再度所望の相手先の電話番号へ発呼した場合には、同一の電話番号であることが報知されるだけでなく、相手先への発呼が禁止されてしまう。このような事態を回避するために、本実施例装置では、発呼時に相手側が応答した後にＲＡＭ４０に電話番号を記憶している。
【００４６】
Ｓ８ステップでは、制御回路３６は、切キー５２の操作があると判定するとＳ９ステップへ処理を進め、そうでなければＳ６ステップへ処理を戻す。
【００４７】
Ｓ９ステップでは、制御回路３６は、ディスプレイ４２に表示されている電話番号を消去し、Ｓ１ステップへ処理を戻す。
【００４８】
Ｓ１０ステップでは、制御回路３６は、所定時間（例えば、３０秒）の計時を開始する。
【００４９】
続くＳ１１ステップでは、制御回路３６は、切キー５２の操作があると判定すると、電話通信部１２とベースバンド部１４を制御することにより、通話処理を終了し、Ｓ１２ステップへ処理を進める。一方、切キー５２の操作がないと判定すると、Ｓ１０ステップへ処理を戻し、通話が継続される。尚、Ｓ１１ステップにおいて、通話中の相手側が回線を切断した場合でも、制御回路３６はＳ１２ステップへ処理を進める。
【００５０】
Ｓ１２ステップでは、制御回路３６は、Ｓ１０ステップで開始した所定時間（例えば、３０秒）の計時が終了したと判定するとＳ１３ステップへ処理を進め、そうでなければＳ１ステップへ処理を戻す。
【００５１】
Ｓ１３ステップでは、制御回路３６は、ＲＡＭ４０に格納されている電話番号を削除し、Ｓ１ステップへ処理を戻す。
【００５２】
尚、Ｓ１２ステップ及びＳ１３ステップにおいて、ユーザが通話を開始し間違い電話の場合には、例えば、「すみません、間違いました。」と話をして終了するように通話時間は短い。このように通話時間の短い場合、即ち間違い電話である場合には、入力した電話番号をＲＡＭ４０に記憶する。一方、通話時間の長い場合、即ち所望の相手先への通話の場合には、ＲＡＭに格納した電話番号を削除する。この為、不所望な相手先の電話番号のみＲＡＭ４０に格納することが可能である。即ち、Ｓ１１ステップの処理終了後に、Ｓ５ステップ或いはＳ２３ステップにおいて、ＲＡＭ４０にキー入力された電話番号と同一の電話番号が格納されているか否かを判定する際には、キー入力された電話番号とＲＡＭ４０に記憶されている不所望な相手先の電話番号とが比較される。
【００５３】
又、ＲＡＭ４０に記憶される電話番号は１件だけではなく、複数件記憶されても良い。複数件記憶されている場合には、過去に記憶した電話番号の内最も新しく記憶した電話番号を使用すればよい。
【００５４】
このように、本実施例装置では、発呼時に過去に発呼した電話番号のうち最も新しい電話番号と現在入力された電話番号との両方をディスプレイ４２に表示する為、ユーザが、過去に発呼した電話番号のうち最も新しい電話番号と今回発呼した電話番号とが同一か否かを確認することができる。
【００５５】
又、本実施例装置では、過去に発呼した電話番号のうち最も新しい電話番号と、テンキーで入力された電話番号とを比較し、一致した場合にはユーザに報知する為、ユーザが一々表示部に表示されている２つの電話番号を比較しなくとも、ユーザが再度間違った電話番号を入力したことを確認することができる。
【００５６】
更に、過去に発呼した電話番号のうち最も新しい電話番号と、テンキーで入力された電話番号とを比較し、一致した場合には発呼を禁止する為、ユーザが再度間違った電話番号先へ発呼することを確実に回避することができる。
【００５７】
尚、本実施例では、図５のＳ２４ステップにおいて、同じ電話番号が入力された旨を示すメッセージをディスプレイ４２に表示する構成としたが、着信ランプ５７の点灯（或いは点滅）や、バイブレータの振動、或いはディスプレイ４２のバックライトの消灯（或いは点滅）等により同じ電話番号が入力されたことをユーザに報知する構成としても良いし、同じ電話番号が入力されたことを音声合成によりユーザに報知しても良い。
【００５８】
又、通話終了後、所定時間以上経過したら、ＲＡＭ４０に格納されている電話番号を削除する構成としても良い。通常、間違い電話を行なった後に再度ダイヤル発信する場合には、間違い電話の後に直ちに、或いは遅くとも数十秒から数分以内に再度ダイヤル発信を行なう為、このような構成とすることにより、不所望な相手先の電話番号のみＲＡＭ４０に格納することが可能である。
【００５９】
更に、本実施例では、図４のＳ１１〜Ｓ１３ステップにあるように、通話時間が所定時間以上経過した場合には、ユーザにとって所望の相手先の電話番号であると判断し、キー入力された電話番号をＲＡＭ４０に格納せず、一方、所定時間以上経過しない場合には、ユーザにとって不所望な相手先の電話番号であると判断し、キー入力された電話番号をＲＡＭ４０に格納する構成としたが、キー入力された電話番号が不所望な相手先の電話番号か、例えば、間違い電話であるか否かを判断する判断手段は、このような構成に限定されない。例えば、音声認識回路を搭載させ、通話中に、「すいません、間違いました。」や「電話番号を間違えました。」といった間違い電話であることを示唆する言葉を音声認識した場合には、入力された（発呼した）電話番号をＲＡＭ４０に格納する構成としても良く、又、先ほど述べたように、通話終了後、所定時間以上経過したらユーザにとって所望なあて先への発呼と判断し、一方、所定時間以上経過しなければ不所望なあて先への発呼と判断する構成としても良い。これら構成も判断手段の１例として考えられる。
【産業上の利用可能性】
【００６０】
本発明は、有線回線に接続された、留守番電話、コードレス電話の親機、ファクシミリ装置、パーソナルコンピュータに搭載された電話機能、或いは、無線回線に接続された携帯電話装置、ＰＨＳ（Ｐｅｒｓｏｎａｌ  Ｈａｎｄｙｐｈｏｎｅ  Ｓｙｓｔｅｍ）、コードレス電話の子機、ＰＤＡ（Ｐｅｒｓｏｎａｌ  Ｄｉｇｉｔａｌ  Ａｓｓｉｓｔａｎｔ）等にも利用することができる。
【図面の簡単な説明】
【００６１】
【図１】本発明を適用してなる実施例装置の斜視図である。
【図２】本実施例装置の斜視図である。
【図３】本実施例装置のブロック図である。
【図４】本実施例装置のフロー図である。
【図５】本実施例装置のフロー図である。
【図６】本実施例装置のディスプレイ４２の表示形態である。
【符号の説明】
【００６２】
３６  制御回路
４０  ＲＡＭ
４２  ディスプレイ
４４  入力部
４８  テンキー
５０  通話キー
５２  切キー
【図１】
2005311606.tif 000003
【図２】
2005311606.tif 000004
【図３】
2005311606.tif 000005
【図４】
2005311606.tif 000006
【図５】
2005311606.tif 000007
【図６】
2005311606.tif 000008